(57)【要約】【課題】基礎の補強とともに、土台を補強でき、さらに土台と基礎の結合強度を高めることができる基礎の補強構造を提供する。【解決手段】基礎１の側面１ｃに高強度繊維シート３が接着され、基礎１の上面には土台２が設置され、前記高強度繊維シート３は、土台２の側面２ｂおよび上面２ａにも接着されている。したがって、高強度繊維シート３によって基礎１を補強でき、また、この高強度繊維シート３は土台２の側面２ｂおよび上面２ａにも接着されているので、土台２を補強でき、さらに、土台２と基礎１の結合強度を高めることができる。【選択図】図１
2008121239.tif 000002
【特許請求の範囲】
【請求項１】
基礎の側面に高強度繊維シートが接着されてなる基礎の補強構造において、
前記基礎の上面には土台が設置されており、前記高強度繊維シートは、前記土台の側面および上面にも接着されていることを特徴とする基礎の補強構造。
【請求項２】
請求項１に記載の基礎の補強構造において、
前記高強度繊維シートは、前記土台の上面および両側面と、基礎の両側面とを覆うようにして、前記土台の上方から被されていることを特徴とする基礎の補強構造。
【請求項３】
請求項１または２に記載の基礎の補強構造において、
前記基礎の側面の上端部および下端部のうちの少なくともいずれか一方に、基礎の長手方向に延在する金属製の補強帯板が前記高強度繊維シート上から固定されていることを特徴とする基礎の補強構造。
【請求項４】
請求項１または２に記載の基礎の補強構造において、
前記基礎の側面の上端部および下端部のうちの少なくともいずれか一方に、金属製の補強板が前記高強度繊維シート上から基礎の長手方向に沿って所定間隔で固定されていることを特徴とする基礎の補強構造。
【請求項５】
請求項１〜４のいずれか一項に記載の基礎の補強構造において、
前記基礎の側面には、前記高強度繊維シート上から接着剤によって砂状の微粒子が付着されていることを特徴とする基礎の補強構造。
【発明の詳細な説明】
【技術分野】
【０００１】
本発明は、住宅等の建物の基礎を補強する基礎の補強構造に関する。
【背景技術】
【０００２】
基礎の補強構造の一例として、特許文献１に記載の技術が知られている。この技術は、既存住宅の無筋基礎部に生じたひび割れ部に複数箇所の孔をあけ、この孔にケミカルアンカーを打ち込んでひび割れ部を接着した後、表面をサンダケレンなどにより面取りや下地処理を施し、次いで、エポキシパテによる不陸調整を施した後エポキシ樹脂などのプライマーを塗布し、その上に炭素繊維シートを貼り付け、表面の脱泡処理を施した後、化粧モルタル又は塗装などの表面仕上げを施したものである。
【特許文献１】実用新案登録第３０９５５２５号公報
【発明の開示】
【発明が解決しようとする課題】
【０００３】
ところで、上記のような従来技術では、基礎の側面全体に炭素繊維シートを貼り付けているので、基礎全体を比較的均一に補強できるが、基礎の上面に設置されている土台とともに補強することはできない。土台は例えば基礎から突出するアンカーボルトによって基礎の上面に固定されるが、住宅に新築の際はもとより、住宅のリフォーム等の際にも、基礎を補強するとともに、土台を補強し、さらに土台と基礎の結合強度を高めたいという要望がある。
【０００４】
本発明は上記事情に鑑みてなされたもので、基礎の補強とともに、土台を補強でき、さらに土台と基礎の結合強度を高めることができる基礎の補強構造を提供することを課題としている。
【課題を解決するための手段】
【０００５】
上記課題を解決するために、請求項１に記載の発明は、例えば図１に示すように、基礎１の側面１ｃに高強度繊維シート３が接着されてなる基礎の補強構造において、
前記基礎１の上面には土台２が設置されており、前記高強度繊維シート３は、前記土台２の側面２ｂおよび上面２ａにも接着されていることを特徴とする。
【０００６】
なお、高強度繊維シート３は、基礎１の一方の側面１ｃに接着してもよいし、両側面１ｃ，１ｃに接着してもよい。また、高強度繊維シート３は土台２の一方の側面２ｂに接着してもよいし、両側面２ｂ，２ｂに接着してもよい。
また、高強度繊維シートとしては、高強度繊維を一方向に配列したシート状のものや、あるいは高強度繊維にて織成したシート状のものを使用する。また、高強度繊維としては、アラミド繊維、炭素繊維、ガラス繊維、アルミナ繊維、ポリエチレン繊維、液晶ポリマー繊維などが例示される。
【０００７】
請求項１に記載の発明によれば、基礎１の側面１ｃに接着された高強度繊維シート３によって基礎を補強できる。また、この高強度繊維シート３は土台２の側面２ｂおよび上面２ａにも接着されているので、土台２を補強でき、さらに、土台２と基礎１の結合強度を高めることができる。
したがって、基礎１の補強とともに、土台２を補強でき、さらに土台２と基礎１の結合強度を高めることを容易に行える。
【０００８】
請求項２に記載の発明は、例えば図１に示すように、請求項１に記載の基礎の補強構造において、
前記高強度繊維シート３は、前記土台２の上面２ａおよび両側面２ｂ，２ｂと、基礎１の両側面１ｃ，１ｃとを覆うようにして、前記土台２の上方から被されていることを特徴とする。
【０００９】
請求項２に記載の発明によれば、土台２の上面２ａおよび両側面２ｂ，２ｂと、基礎１の両側面１ｃ，１ｃとを覆うようにして、土台２の上方から被されている高強度繊維シート３が、基礎１の両側面１ｃ，１ｃ、土台２の両側面２ｂ，２ｂおよび上面２ａに接着されているので、基礎１と土台２とを一体的に補強できるとともに、土台２と基礎１の結合強度をより高めることができる。
【００１０】
請求項３に記載の発明は、例えば図３に示すように、請求項１または２に記載の基礎の補強構造において、
前記基礎１の側面１ｃの上端部および下端部のうちの少なくともいずれか一方に、基礎１の長手方向に延在する金属製の補強帯板４が前記高強度繊維シート３上から固定されていることを特徴とする。
【００１１】
請求項３に記載の発明によれば、基礎１の側面１ｃの上端部および下端部のうちの少なくともいずれか一方に、補強帯板４が高強度繊維シート３上から固定されているので、基礎１の上端部や下端部を効果的に補強できる。特に、地震等の際に基礎１に発生する応力は、基礎１の上下部で大きくなるので、この部分を高強度繊維シート３と補強帯板７とで補強することによって、基礎１を効果的に補強できる。
【００１２】
請求項４に記載の発明は、例えば図５に示すように、請求項１または２に記載の基礎の補強構造において、
前記基礎１の側面１ｃの上端部および下端部のうちの少なくともいずれか一方に、金属製の補強板７が前記高強度繊維シート３上から基礎１の長手方向に沿って所定間隔で固定されていることを特徴とする。
【００１３】
請求項４に記載の発明によれば、基礎１の側面１ｃの上端部および下端部のうちの少なくともいずれか一方に、補強板７が高強度繊維シート３上から基礎１の長手方向に沿って所定間隔で固定されているので、例えば土台２に固定する柱を基礎１に連結するための連結金具を補強板７に固定する場合に、この部分を効果的に補強できる。
【００１４】
請求項５に記載の発明は、請求項１〜４のいずれか一項に記載の基礎の補強構造において、
前記基礎の側面には、前記高強度繊維シート上から接着剤によって砂状の微粒子が付着されていることを特徴とする。
【００１５】
ここで、前記微粒子を接着する接着剤としては、高強度繊維シートを基礎の側面に接着した際に該高強度繊維シート上に滲み出している接着剤を利用してもよいし、別途接着剤を使用してもよい。
【００１６】
請求項５に記載の発明によれば、基礎の側面に高強度繊維シート上から接着剤によって砂状の微粒子が付着しているので、基礎の側面をモルタル仕上げする場合に、モルタルの食い付きがよくなり、仕上げ作業が容易となる。
【発明の効果】
【００１７】
本発明によれば、基礎の側面に接着されている高強度繊維シートが基礎の上面に設置された土台の側面および上面にも接着されているので、基礎の補強とともに、土台を補強でき、さらに土台と基礎の結合強度を高めることができる。
【発明を実施するための最良の形態】
【００１８】
以下図面を参照して本発明の実施の形態について説明する。
（第１の実施の形態）
図１は本発明に係る基礎の補強構造の第１例を示すものである。この図に示す基礎１は住宅等の建物を支持する布基礎であり、フーチング１ａと、このフーチング１ａに立設された立上り部１ｂとから構成されており、断面略逆Ｔ字形に形成されている。また、基礎１の上面には、土台２が設置されており、この土台２は基礎１に埋設され、基礎１の上面から突出する図示しないアンカーボルトによって基礎１に結合されている。
【００１９】
基礎１の立上り部１ｂの両側面１ｃには、アラミド繊維等で形成された高強度繊維シート３が接着されている。この高強度繊維シート３は、アラミド繊維を縦横に配置して織ったシート状のものであり、土台２の上面２ａおよび両側面２ｂ，２ｂと、基礎１の両側面１ｃ，１ｃとを覆うようにして、土台２の上方から被されている。
そして、このような高強度繊維シート３は、基礎１の両側面１ｃ，１ｃ、土台２の両側面２ｂ，２ｂ、土台２の上面２ａに接着剤によって接着されている。
なお、基礎１がその立上り部１ｂの下端部まで地盤に埋まっている場合、基礎１の立上り部１ｂの地面より上の部分まで高強度繊維シート３を接着すればよい。
【００２０】
本実施の形態によれば、基礎１の側面１ｃ，１ｃに接着された高強度繊維シート３によって基礎１を補強できる。また、この高強度繊維シート３は土２台の側面２ｂ，２ｂおよび上面２ａにも接着されているので、土台２を補強でき、さらに、土台２と基礎１の結合強度を高めることができる。
また、土台２の上面２ａおよび両側面２ｂ，２ｂと、基礎１の両側面１ｃ，１ｃとを覆うようにして、土台２の上方から被されている高強度繊維シート３が、基礎１の両側面１ｃ，１ｃ、土台２の両側面２ｂ，２ｂおよび上面２ａに接着されているので、基礎１と土台２とを一体的に補強できるとともに、土台２と基礎１の結合強度をより高めることができる。
【００２１】
なお、高強度繊維シート３を基礎１の側面１ｃに接着する場合、接着剤が硬化する前に、高強度繊維シート３の表面に滲み出ている接着剤に砂等の細かい微粒子を付着させてもよい。このようにすれば、基礎１の側面１ｃをモルタル仕上げする場合に、モルタルの食い付きがよくなり、仕上げ作業が容易となる。
【００２２】
（第２の実施の形態）
図２は本発明に係る基礎の補強構造の第２例を示すものである。この図に示す基礎１、土台２は第１の実施の形態における基礎１、土台２と同様の構成である。
本例では、高強度繊維シート３を、基礎１の一方の側面１ｃ、土台２の一方の側面２ｂ、土台２の上面２ａに、これらを覆うようにして被せ、基礎１の一方の側面１ｃ、土台２の一方の側面２ｂ、土台２の上面２ａに接着している。
本実施の形態では、第１の実施の形態と同様の効果を得ることができるが、例えば、基礎１の他方の側面１ｃに、他の基礎が接続されていたり、他方の側面１ｃの下部が地盤に埋まっている場合など、他方の側面１ｃに高強度繊維シート３を接着できない場合に好適である。
なお、高強度繊維シート３を土台２の他方の側面２ｂまで延出して、この側面２ｂにも接着してもよい。さらに、高強度繊維シート３を土台２の他方の側面２ｂを越えて、基礎１の他方の側面１ｃの上部まで延出して、この上部側面１ｃにも接着してもよい。
さらに、基礎１がその立上り部１ｂの下端部まで地盤に埋まっている場合、基礎１の立上り部１ｂの地面より上の部分まで高強度繊維シート３を接着すればよい。
また、高強度繊維シート３を基礎１の側面１ｃに接着する場合、接着剤が硬化する前に、高強度繊維シート３の表面に滲み出ている接着剤に砂等の細かい微粒子を付着させてもよい。このようにすれば、基礎１の側面１ｃをモルタル仕上げする場合に、モルタルの食い付きがよくなり、仕上げ作業が容易となる。
【００２３】
（第３の実施の形態）
図３は本発明に係る基礎の補強構造の第３例を示すものである。この図に示す基礎１、土台２は第１の実施の形態における基礎１、土台２と同様の構成である。
本例では、第１の実施の形態と同様に、高強度繊維シート３は、土台２の上面２ａおよび両側面２ｂ，２ｂと、基礎１の両側面１ｃ，１ｃとを覆うようにして、土台２の上方から被され、基礎１の両側面１ｃ，１ｃ、土台２の両側面２ｂ，２ｂ、土台２の上面２ａに接着剤によって接着されている。
【００２４】
また、基礎１の側面１ｃ，１ｃの上端部および下端部に、基礎１の長手方向に延在する金属製の補強帯板４，４が高強度繊維シート３上から以下のようにして固定されている。
すなわちまず、基礎１の立上り部１ｂの上端部と下端部とにはそれぞれ貫通孔が基礎１の長手方向に所定間隔で複数形成されている。また、補強帯板４にも取付穴が補強帯板４の長手方向に所定間隔で複数形成されている。
そして、補強帯板４，４を基礎１の側面１ｃ，１ｃに高強度繊維シート３上から当接し、取付穴と貫通孔を合致させたうえで、挿通ボルト５を一方の補強帯板４から基礎１の立上り部１ｂを貫通して、他方の補強帯板４まで挿通し、さらに挿通ボルト５にナット６を螺合して締め付けることによって、基礎１の側面１ｃ，１ｃに補強帯板４が固定されている。また、補強帯板４，４は基礎１の立上り部１ｂの上端部と下端部とにそれぞれ固定されている。
【００２５】
本実施の形態によれば、基礎１の側面１ｃ，１ｃの上端部および下端部に、補強帯板４，４が高強度繊維シート３上から固定されているので、基礎１の上端部や下端部を効果的に補強できる。特に、地震等の際に基礎１に発生する応力は、基礎１の上下部で大きくなるので、この部分を高強度繊維シート３と補強帯板４とで補強することによって、基礎を効果的に補強できる。
【００２６】
なお、図４（ａ）に示すように、基礎１の一方の側面１ｃ、土台２の一方の側面２ｂ、土台２の上面２ａに、高強度繊維シート３を接着したものにおいて、補強帯板４を図３に示した場合と同様にして、基礎１の両側面１ｃ，１ｃに固定してもよい。但し、この場合、基礎１の他方の側面１ｃには高強度繊維シート３が接着されていないので、他方の側面１ｃには補強帯板４が直接固定される。
また、図４（ｂ）に示すように、基礎１の両側面１ｃ，１ｃ、土台２の両側面２ｂ，２ｂ、土台２の上面２ａに、高強度繊維シート３を接着したものにおいて、補強帯板４を側面２ｂの下端部にのみ固定してもよい。
さらに、図４（ｃ）に示すように、基礎１の一方の側面１ｃ、土台２の一方の側面２ｂ、土台２の上面２ａに、高強度繊維シート３を接着したものにおいて、補強帯板４を側面２ｂの下端部にのみ固定してもよい。但し、この場合、基礎１の他方の側面１ｃには高強度繊維シート３が接着されていないので、他方の側面１ｃには補強帯板４が直接固定される。
【００２７】
（第４の実施の形態）
図５は本発明に係る基礎の補強構造の第４例を示すものである。この図に示す基礎１、土台２は第１の実施の形態における基礎１、土台２と同様の構成である。
本例では、第１および第３の実施の形態と同様に、高強度繊維シート３は、土台２の上面２ａおよび両側面２ｂ，２ｂと、基礎１の両側面１ｃ，１ｃとを覆うようにして、土台２の上方から被され、基礎１の両側面１ｃ，１ｃ、土台２の両側面２ｂ，２ｂ、土台２の上面２ａに接着剤によって接着されている。
【００２８】
また、基礎１の両側面１ｃ，１ｃの上端部および下端部に、それぞれ金属製の矩形板状の補強板７が前記高強度繊維シート３上から基礎の長手方向に沿って所定間隔で固定されている。この固定は、図３に示す第３の実施の形態の場合と同様にして、挿通ボルト５とナット６によって行われる。
【００２９】
本実施の形態によれば、基礎１の側面１ｃ，１ｃの上端部および下端部に、補強板７が高強度繊維シート３上から基礎１の長手方向に沿って所定間隔で固定されているので、例えば土台２に固定する柱を基礎１に連結するための連結金具を補強板７に固定する場合に、この部分を効果的に補強できる。
なお、本実施の形態においても、図４（ａ）〜（ｃ）に示すような、パターンの変形例を採用してもよい。
すなわち、基礎１の一方の側面１ｃ、土台２の一方の側面２ｂ、土台２の上面２ａに、高強度繊維シート３を接着したものにおいて、補強板７を基礎１の両側面１ｃ，１ｃに固定してもよい。但し、この場合、基礎１の他方の側面１ｃには高強度繊維シート３が接着されていないので、他方の側面１ｃには補強板７が直接固定される。
また、基礎１の両側面１ｃ，１ｃ、土台２の両側面２ｂ，２ｂ、土台２の上面２ａに、高強度繊維シート３を接着したものにおいて、補強板７側面２ｂの下端部にのみ固定してもよい。
さらに、基礎１の一方の側面１ｃ、土台２の一方の側面２ｂ、土台２の上面２ａに、高強度繊維シート３を接着したものにおいて、補強板７を側面２ｂの下端部にのみ固定してもよい。但し、この場合、基礎１の他方の側面１ｃには高強度繊維シート３が接着されていないので、他方の側面１ｃには補強板７が直接固定される。
【図面の簡単な説明】
【００３０】
【図１】本発明に係る基礎の補強構造の第１の実施の形態を示すもので、（ａ）はその斜視図、（ｂ）は縦断面図である。
【図２】本発明に係る基礎の補強構造の第２の実施の形態を示すもので、（ａ）はその斜視図、（ｂ）は縦断面図である。
【図３】本発明に係る基礎の補強構造の第３の実施の形態を示すもので、（ａ）はその斜視図、（ｂ）は縦断面図である。
【図４】同、（ａ）は第１変形例の縦断面図、（ｂ）は第２変形例の縦断面図、（ｃ）は第３変形例の縦断面図である。
【図５】本発明に係る基礎の補強構造の第１の実施の形態を示す斜視図である。
【符号の説明】
【００３１】
１  基礎
１ｃ  側面
２  土台
２ａ  上面
２ｂ  側面
３  高強度繊維シート
４  補強帯板
７  補強板
【図１】
2008121239.tif 000003
【図２】
2008121239.tif 000004
【図３】
2008121239.tif 000005
【図４】
2008121239.tif 000006
【図５】
2008121239.tif 000007